(57)【要約】互いに弾力的に回転可能な二つのアーム（２，３）を具備する脈瘤クリップ（１）であって、アームの自由端には前記アームのバネ力により互いに弾力的に締め付けあう留め金バー（１２，１３）を有し、前記留め金バーに隣接し及び容器（１１）の受入スペース（１０）を一緒に形成する前記アームの外向きに曲がった部分を具備する脈瘤クリップ。様々な前記脈瘤クリップの適用の安全性及び可能性を向上するために、前記留め金バーは前記アームから両側に突き出ていて、従って前記外側に曲がった部分の前記アームの幅より左右両側に突き出ている。
2004531285.tif 000002
【特許請求の範囲】
【請求項１】
互いに弾力的に回転可能な二つのアーム（２，３）を具備する脈瘤クリップ（１）であって、アームの自由端には前記アーム（２，３）のバネ力により互いに弾力的に締め付けあう留め金バー（１２，１３）を有し、前記留め金バー（１２，１３）に隣接し及び容器（１１）の受入スペース（１０）を一緒に形成する前記アーム（２，３）の外向きに曲がった部分（９）を具備するものにおいて、前記留め金バー（１２，１３）は前記アーム（２，３）から両側に突き出ていて、従って前記外側に曲がった部分（９）の前記アーム（２，３）の幅よりも左右両側に突き出ていることを特徴とする脈瘤クリップ。
【請求項２】
前記留め金バー（１２，１３）はそれぞれの縦方向に直線のデザインになっていることを特徴とする請求項１に記載された脈瘤クリップ。
【請求項３】
前記留め金バー（１２，１３）はそれぞれの縦方向に曲がっていることを特徴とする請求項１に記載された脈瘤クリップ。
【請求項４】
前記アーム（２，３）は前記留め金バー（１２，１３）の凸側に配置されていることを特徴とする請求項３に記載された脈瘤クリップ。
【請求項５】
前記アーム（２，３）は前記留め金バー（１２，１３）の凹側に配置されていることを特徴とする請求項３に記載された脈瘤クリップ。
【請求項６】
前記留め金バー（１２，１３）は前記脈瘤クリップ（１）の中央部に関して対称のデザインであることを特徴とする請求項１に記載された脈瘤クリップ。
【請求項７】
前記留め金バー（１２，１３）は前記脈瘤クリップ（１）の中央部に関して対称のデザインであることを特徴とする請求項２に記載された脈瘤クリップ。
【請求項８】
前記留め金バー（１２，１３）は前記脈瘤クリップ（１）の中央部に関して対称のデザインであることを特徴とする請求項３に記載された脈瘤クリップ。
【請求項９】
前記アーム（２，３）に連結した領域で前記留め金バー（１２，１３）は前記脈瘤クリップ（１）の中央部に対して９０度の角度で延びていることを特徴とする請求項１に記載された脈瘤クリップ。
【請求項１０】
前記アーム（２，３）に連結した領域で前記留め金バー（１２，１３）は前記脈瘤クリップ（１）の中央部に対して９０度の角度で延びていることを特徴とする請求項６に記載された脈瘤クリップ。
【請求項１１】
前記アーム（２，３）に連結した領域で前記留め金バー（１２，１３）は前記脈瘤クリップ（１）の中央部に対して傾きをもって延びていることを特徴とする請求項１に記載された脈瘤クリップ。
【請求項１２】
前記外向きに曲がった部分（９）は実質的に円周のデザインであることを特徴とする請求項１に記載された脈瘤クリップ。
【請求項１３】
前記外向きに曲がった部分（９）は実質的に円周のデザインであることを特徴とする請求項６に記載された脈瘤クリップ。
【請求項１４】
前記外向きに曲がった部分（９）は実質的に円周のデザインであることを特徴とする請求項９に記載された脈瘤クリップ。
【請求項１５】
前記外向けに曲がった部分（９）は楕円デザインであることを特徴とする請求項１に記載された脈瘤クリップ。
【請求項１６】
前記外向けに曲がった部分（９）は楕円デザインであることを特徴とする請求項６に記載された脈瘤クリップ。
【請求項１７】
前記外向けに曲がった部分（９）は楕円デザインであることを特徴とする請求項１１に記載された脈瘤クリップ。
【請求項１８】
前記留め金バー（１２，１３）は前記外向けに曲がった部分（９）の前記アーム（２，３）の幅の２から１０倍の間の長さを有することを特徴とする請求項１に記載された脈瘤クリップ。
【請求項１９】
前記留め金バー（１２，１３）は前記外向けに曲がった部分（９）の前記アーム（２，３）の幅の２から１０倍の間の長さを有することを特徴とする請求項６に記載された脈瘤クリップ。
【請求項２０】
前記留め金バー（１２，１３）は前記外向けに曲がった部分（９）の前記アーム（２，３）の幅の２から１０倍の間の長さを有することを特徴とする請求項９に記載された脈瘤クリップ。
【請求項２１】
前記留め金バー（１２，１３）は前記外向けに曲がった部分（９）の前記アーム（２，３）の幅の２から１０倍の間の長さを有することを特徴とする請求項１１に記載された脈瘤クリップ。
【請求項２２】
前記二つのアーム（２，３）は互いに旋回するように連結され及び柔軟連結部分（１７）により互いに繋がっていることを特徴とする請求項１に記載された脈瘤クリップ。
【請求項２３】
前記二つのアーム（２，３）は互いに旋回するように連結され及び別のバネ（５）により互いに留められていることを特徴とする請求項１に記載された脈瘤クリップ。
【請求項２４】
前記バネ（５）自体が前記二つのアーム（２，３）の回転ベアリング用のベアリング軸を成していることを特徴とする請求項２３に記載された脈瘤クリップ。
【請求項２５】
前記回転可能アーム（２，３）はそれらが前記留め金バー（１２，１３）を連結している領域で開口部（２１）を有することを特徴とする請求項１に記載された脈瘤クリップ。
【請求項２６】
前記アーム（２，３）はそれらが前記留め金バー（１２，１３）を連結している領域で前記留め金バー（１２，１３）に向かって広がっていることを特徴とする請求項１に記載された脈瘤クリップ。
【発明の詳細な説明】
【０００１】
本発明は、互いに弾力的に回転可能な二つのアームを具備する脈瘤クリップであって、アームの自由端には前記アームのバネ力により互いに弾力的に締め付けあう留め金バーを有し、前記留め金バーに隣接し及び容器の受入スペースを一緒に形成する前記アームの外向きに曲がった部分を具備する脈瘤クリップに関する。
【０００２】
このような脈瘤クリップは、例えばＥＰ  ０  ３４６  ０８４Ａ１  又はＵＡ‐Ａ‐３、８０２，２３７により公知である。
【０００３】
ＵＡ‐Ａ‐３、８０２，２３７のクリップでは、外向けに曲がった部分であって留め金バーの長さに対応した幅を有する部分は、容器用の袖状の受取りスペースを生むために相対する長い留め金バーを連結する。幾つかのそのような脈瘤クリップを容器に対して互いに沿って適用した場合、袖状部分が互いに邪魔になり及び互いに近接して望むやり方でこれらのクリップを配置することは不可能になる。
【０００４】
ＥＰ  ０  ３４６  ０８４Ａ１のクリップでは、留め金バーは非対称配置を生むために脈瘤クリップの中央部の外の左右に曲がっていて、クリップが一つの側に滑り落ちる危険を伴う。留め金バーの曲げによりクリップの一つの側にかかるストレスにより、傾斜や楔状変形を引き起こし、そのような脈瘤クリップの適用の安全性を脅かす可能性がある。
【０００５】
本発明の目的は、一般的に脈瘤クリップを改善し、一方で障害のない適用、それも複数のクリップの適用を、容器に対して可能にし、及び、他方、特に留め金バーの領域での信頼できる密閉を可能にすることである。
【０００６】
この目的は、本発明に従ってまず説明した種類の脈瘤クリップにより達成することが可能で、それでは、留め金バーは両側のアームから突き出していて及び外向きの曲がった部分のアームの幅に両側左右から突き出ている。
【０００７】
したがってこのような脈瘤クリップは、外向きに曲がった部分の領域では比較的狭い幅を有するが、脈瘤クリップの中央部に対して実質的に横断して延び及びアームの幅上のいずれの側に向けても突き出している留め金バーは、アームの端に配置される。留め金バーは、したがって、脈瘤クリップの中央部の両側で支持され、及び、同時に、アームは容器を取巻く外向きに曲がった部分の領域に於いて、留め金バーよりも狭くなっているので、互いに沿って幾つかの脈瘤クリップを近接して配置することが可能である。したがって、幾つかのクリップは、アームが側に重なり、又一方アームが外向きに曲がった部分に互いに沿って近接して配置されるようなやり方で適用することができる。したがって操作者は、幾つかのクリップを、可能であれが何回か、分割線が確保されるように、及び各側のアームで留め金バーが突き出しているために、脈瘤クリップがずれたり捩れたりせず、滑り落ちることがないように適用することができる。
【０００８】
一つの実施態様では、前記留め金バーはそれぞれの縦方向に直線のデザインになっている。
【０００９】
しかし、留め金バーはそれぞれの縦方向に曲がっていることも可能であるし、アームは留め金バーの凸側に配置されたり、又は留め金バーがアームから離れ又はアームに向かって曲がっているように凹側に配置されていることが可能である。
【００１０】
特に、前記留め金バーが脈瘤クリップの中央部に関して対称のデザインであることは有利である。そうすれば脈瘤クリップをどちら側にも適用することが可能で、及び、さらに対称デザインによりクリップに掛かる力が均等になり、確実に傾斜や滑り落ちを防ぐことができる。
【００１１】
特に、アームに連結した領域で留め金バーは脈瘤クリップの中央部に対して９０度の角度で延びていることを特徴とする規定もある。
【００１２】
しかし、特に実施態様の規定では、アームに連結した領域で留め金バーは脈瘤クリップの中央部に対して傾きをもって延びていて、留め金バーにより画される留め金線に関してアームが傾斜しているようにすることもできる。
【００１３】
特に、前記外向きに曲がった部分は実質的に円周のデザインであることが可能である。
【００１４】
しかし前記外向けに曲がった部分が楕円デザインであることも可能である。これは、アームが容器に対して傾斜で延びたときに外向きに曲がった部分が実質的に円周になっている容器を取り囲むことができるので、留め金バーが脈瘤クリップの中央部に対して傾斜して延びているときに、都合がよい。
【００１５】
前記留め金バーは前記外向けに曲がった部分の前記アームの幅の２から１０倍の間の長さを有することが可能である。異なる長さの留め金バーはそのような脈瘤クリップのセットで纏めることができる。
【００１６】
脈瘤クリップは、前記二つのアームが互いに旋回するように連結され及び、例えば二つのアームを繋ぐバネ・ワイアの単独又は複数巻き付けのような柔軟連結部分により互いに繋がるようにすることが可能である。
【００１７】
もう一つの実施態様では、前記二つのアームは互いに旋回するように連結され及び別のバネにより互いに留められているようにすることが可能である。特にこのバネ自体を二つのアームの回転ベアリング用のベアリング軸から形成することも可能である。
【００１８】
留め金バーに連結するアームは、留め金バーに隣接する領域に少なくとも一つの開口部を有し、アームは二つの腹板に分かれ、その各々は留め金バーに連結されている。
【００１９】
特に、この実施態様の規定では、この領域のアームはより広く、腹板はＶ字型に延びる。アームの広がりは又、開口部の規定がなくとも可能である。
【００２０】
本発明の実施態様の以下の説明は、本発明をより詳細に説明するために図面と共に説明する。図面は後述の通り。
【００２１】
図１及び２に示された脈瘤クリップ１は、長方形クロス部分のバンド型材料から作られた二つのアーム２，３を具備する。それらの裏面端で、両方のアームは円周型に曲げられ、したがって実質的に、二つの巻層から成る螺旋バネ５が配置されている実質的に円形ベアリング部分４を形成する。この螺旋バネ５は、ベアリング部分４の内部に隣接し、ベアリング部分の枢軸の周りでの回転運動のためにベアリング部分４の場所の二つのアーム２，３を連結するベアリング軸を形成する。螺旋バネ５の自由端６，７は、後者のベアリング部分に直に隣接した二つのアーム２，３の外側に保持されていて、二つのアーム２，３を各自に向けて螺旋バネ５の力に足して柔軟に離れて回転できるように旋回する。
【００２２】
ベアリング部分４に隣接しているのは、アーム２及び３が互いに並行に延び及び実質的にクリップが閉じたときに互いに隣接する短い中間部分８である。
【００２３】
この中間部分８は、二つのアーム２，３が半円の形状で外向きに曲がり、そこで脈瘤クリップが適用されたときに容器１１を受ける実質的に円流の受け空間１０を囲む前面容器部分９に繋がる。
【００２４】
両方のアーム２，３は、その自由端で、図１及び２に示された実施態様が脈瘤クリップの中央部から垂直に両サイドに、両側とも同一方向で突き出ている、すなわち脈瘤クリップが中央部に関して対称のデザインである留め金バー１２，１３の領域で、二つのアーム２の回転軸に並行に延びている。留め金バー１２，１３は、互いに直に相対して配置され、全長で互いに隣接するように、閉じた状態の螺旋バネ５により互いに押し付けあっている。
【００２５】
図１及び２に示された実施態様では、留め金バー１２，１３が縦方向での長さは、受取り空間１０の領域でのアームの幅の約８倍ある。
【００２６】
図１及び２に示した脈瘤クリップ１を適用するには、アーム２及び３は、留め金バー１２及び１３が容器１１を経て容器１１が容器部分９の受取り空間１０の領域に位置するまで導かれるように、アーム２，３の裏面端で放射状に突き出している突出し部分１４，１５に例えば圧力を掛けるなどして、螺旋バネ５の力に対して外向きに回転する。脈瘤クリップ１を閉じたときには、アーム２及び３は、互いに螺旋バネ５の動きで回転し、及び留め金バー１２，１３は、突起物の容器壁１６又は容器１１から側面に突き出る脈瘤に位置するし、及びそれの全長に渡り容器１１に向かっている突起物を閉じて除外する。上述の種類の一つの脈瘤クリップ１は、実質的に線状になっている極めて広い範囲に渡り突起物を閉じて除外するのに十分である。留め金バー１２，１３の長さが相対的に長いために、この長さは実質的にアーム２，３の幅より実質的に大きく、及びしたがってまた中央部に水平の方向で脈瘤クリップ１の幅よりも大きい。
【００２７】
図３及び４に示された実施態様も同様の配置であるために、同様の参照番号を使う。
【００２８】
図１及び２の実施態様と違うところは、この実施態様のアーム２及び３は、ベアリング部分４の領域において螺旋バネ５により互いに回転するようには連結されておらず、代わりに二つの肢１８及び１９をもつ柔軟連結部分１７により二つのアーム２及び３が連結されていることであり、それらはアーム２及び３のそれぞれに連結され、柔軟腹板２０により一緒に繋がり、肢１８及び１９は腹板２０がもつ本来の柔軟性のために柔軟に曲げて離すことができる。腹板２０の領域には、連結部分１７の材料が鳩目又は螺旋穴の形態でそれ自体で３６０度になるように形成され、腹板２０の本来の柔軟性を増すような手段で柔軟コイルを作る。アーム２及び３は、好ましくは、例えばバネ・ワイアのような柔軟な材料から統合して作られるが、また、異なる材料で作られたアームに連結されるような連結部分１７にすることも可能で、例えば、アーム２，３は殺菌プラスティック材料から作られ、バネ・ワイアから作られた肢８及び９に連結されることも可能である。
【００２９】
図３及び４の実施態様においては、アーム２及び３はまた、その前面に配置されている留め金バー１２，１３と共に容器部分９を形成する。しかし図３及び４の実施態様では、これらは図１の実施態様よりもはるかに短く、この実施態様の留め金バーはアーム２，３の幅の約３倍しかない。
【００３０】
そのため横面に膨らんだ容器壁１６の領域において容器１１上で直接互いに沿っている幾つかのそのような脈瘤クリップを配置することが可能になり、線状の留め金をすることも可能になるが、各脈瘤クリップ１はより短い留め金バー１２，１３に本来の留め金の力を掛けるので、三つの脈瘤クリップ１及びより高い留め金の力を適用することになる。
【００３１】
むろん、脈瘤クリップ１を対応するより短い留め金バーと共に使用することも可能で、図１及び２の脈瘤クリップ１と同様、処理自由の柔軟連結部分１７は有していないが、螺旋バネ５のベアリング部分４は有している。
【００３２】
図３の実施態様と実質的に同様に構築された脈瘤クリップ１は、図５の実施態様のように使われる。留め金バー１２，１３の長さが異なる脈瘤クリップは、適用の一点のみで使われる。さらに、脈瘤クリップ１及び２の縦方向の寸法は、異なるように選択され、従ってたとえば、図５の中央脈瘤クリップ１は横面の二つの脈瘤クリップ１よりも幾分長めに作られる。そこで三つの脈瘤クリップ１の留め金バー１２，１３は容器１１の異なる間隔に配置することができる。隣接する留め金バー１２，１３は重なることがあり、横からの突起物の容器壁１６の特に効果的な囲いが達成される。異なる長さは、例えば、他の脈瘤クリップ１の場合とは違い、周辺部を囲まないより長い脈瘤クリップ１の場合は容器部分９により達成され、縦方向に引き伸ばした楕円領域になる。
【００３３】
図６に示した脈瘤クリップは図３のそれらに対応し、対応する部分は同一の参照番号を使う。
【００３４】
図６の実施態様では、互いに沿って配置された三つの脈瘤クリップの一つは、アーム２，３の縦方向への傾き、すなわち脈瘤クリップ１の中央部への傾きをもって延びている留め金バー１２，１３を上に有する脈瘤クリップにより代替される。また脈瘤クリップ１のこの実施態様の場合は、楕円容器部分９が脈瘤クリップ１の縦方向に走る長い軸とともに同様に形成される。
【００３５】
そこで脈瘤クリップを容器１１に対して容器１１の横側からもまた適用することが可能になり、容器壁１６は二つの脈瘤クリップ１の留め金バー１２，１３の続きで留められ、この脈瘤クリップ１は容器１１を囲むことなく、突起物の容器壁１６を囲む。
【００３６】
図７及び８の脈瘤クリップは図３のそれに完全に対応するが、違いは、留め金バー１２，１３が線状に作られていないで、円弧の形状をもつことである。図７の実施態様では、アーム２，３は円弧状留め金バー１２，１３の凸側に配置され、図８の実施態様では凹側に配置される。両方の場合とも、留め金バー１２，１３の形状は中央部に対して対照的であり、互いに反対側に配置されている留め金バー１２，１３は、当然同じデザインであり、これらの留め金バー１２，１３の留め金表面は、閉じる最中は、全ての表面で互いに反対側になる。
【００３７】
図５に示した形状に実質的に対応する脈瘤クリップのさらなる実施態様を図９に示す。この実施態様では、アーム２，３は、留め金バー１２，１３の隣接する領域で広がっていて、開口部２１を有し、アーム２３は、Ｖ字型に配置された二つの腹板２２及び２３及び留め金バー１２，１３の開口部の形態を有しながら延びる。
【図面の簡単な説明】
【図１】
容器に適用されている脈瘤クリップ及び留め金バーの長さを比較した直線留め金バーの第１の実施態様の横図を表す。
【図２】
図１の２−２に沿った部分図を表す。
【図３】
図１と同様、短い直線の留め金バー及び柔軟連結部分をもつ互いに沿って適用された脈瘤クリップの図を表す。
【図４】
図３に於いて４−４に沿った部分図を表す。
【図５】
図４と同様、互いに相殺する関係での異なる長さの留め金バーを有する脈瘤クリップの図を表す。
【図６】
図３と同様、短い直線留め金バー及び傾斜を有して延びる留め金バーを有する脈瘤クリップの図を表す。
【図７】
図３と同様、アームから外れて曲がっている留め金バーを有する単独の脈瘤クリップの図を表す。
【図８】
図７と同様、アームに向かって曲がっている留め金バーを有する脈瘤クリップの図を表す。
【図９】
図５と同様のＶ字型に広がり及び開口部を有するアームをもつ脈瘤クリップの修正実施態様を表す。
【国際公開パンフレット】
2004531285.tif 000003
2004531285.tif 000004
2004531285.tif 000005
2004531285.tif 000006
2004531285.tif 000007
2004531285.tif 000008
2004531285.tif 000009
2004531285.tif 000010
2004531285.tif 000011
2004531285.tif 000012
2004531285.tif 000013
2004531285.tif 000014
2004531285.tif 000015
2004531285.tif 000016
2004531285.tif 000017
2004531285.tif 000018
2004531285.tif 000019
2004531285.tif 000020
2004531285.tif 000021
2004531285.tif 000022
2004531285.tif 000023
【国際調査報告】
2004531285.tif 000024
2004531285.tif 000025
2004531285.tif 000026